(57)【特許請求の範囲】
【請求項１】
カードと回路基板とを電気的に接続させるためのカード用コネクタにおいて、
前記カードを前後方向に挿脱可能に収容するハウジングと、
該ハウジング内において、前記カードと共に前進及び後退可能に設けられたイジェクターと、
前記カードの装着位置で前記ハウジングに対する前記イジェクターの動きを拘束可能なイジェクターロック手段と、
前記カードに係止することにより、前記イジェクターに対する前記カードの動きを拘束可能なカードロック手段と、
前記カード及びイジェクターの前進に伴い、前記カードロック手段に対する弾性力が強まるように設けられた弾性手段と、
を備え、
前記弾性手段は、前記ハウジングと前記イジェクターとの間に介装され、前記イジェクターを後方に付勢するスプリングであり、
前記カードロック手段は、側方に変位可能なようにその一端部が前記イジェクターに支持され、前記スプリングの後端側に係合可能な係合部と、前記カードに係止可能な係止部とを備え、
前記カード及びイジェクターの前進に伴い、前記係合部が前記スプリングを圧縮し、前記カードロック手段に作用する前記スプリングの弾性力が強まるように構成されていることを特徴とするカード用コネクタ。
【請求項２】
前記カードロック手段は、側方に変位可能なようにその一端部が前記イジェクターに支持された板ばねである請求項１に記載のカード用コネクタ。
【請求項３】
前記カードロック手段は、前記カードの装着位置より後方の仮止め位置で前記カードに係止するように構成されている請求項１又は２に記載のカード用コネクタ。
【請求項４】
カードと回路基板とを電気的に接続させるためのカード用コネクタにおいて、
前記カードを前後方向に挿脱可能に収容するハウジングと、
該ハウジング内において、前記カードと共に前進及び後退可能に設けられたイジェクターと、
前記カードの装着位置で前記ハウジングに対する前記イジェクターの動きを拘束可能なイジェクターロック手段と、
前記カードに係止することにより、前記イジェクターに対する前記カードの動きを拘束可能なカードロック手段と、
前記カード及びイジェクターの前進に伴い、前記カードロック手段に対する弾性力が強まるように設けられた弾性手段と、
を備え、
前記弾性手段は、前記カードロック手段と並列に前記イジェクターに片持ち梁状に設けられた板バネであり、
前記カードロック手段は、側方に変位可能なようにその一端部が前記イジェクターに支持され、前記弾性手段に当接可能な当接部と、前記カードに係止可能な係止部とを備え、
前記ハウジングには前記弾性手段に当接可能な凸部が設けられ、
前記カード及びイジェクターの前進に伴い、前記弾性手段に対する前記凸部の当接位置が前記板バネの自由端側に移動し、前記カードロック手段に対する前記弾性手段の弾性力が強まるように構成されていることを特徴とするカード用コネクタ。
【請求項５】
カードと回路基板とを電気的に接続させるためのカード用コネクタにおいて、
前記カードを前後方向に挿脱可能に収容するハウジングと、
該ハウジング内において、前記カードと共に前進及び後退可能に設けられたイジェクターと、
前記カードの装着位置で前記ハウジングに対する前記イジェクターの動きを拘束可能なイジェクターロック手段と、
前記カードに係止することにより、前記イジェクターに対する前記カードの動きを拘束可能なカードロック手段と、
前記カード及びイジェクターの前進に伴い、前記カードロック手段に対する弾性力が強まるように設けられた弾性手段と、
を備え、
前記弾性手段は、前記カードロック手段と並列に前記ハウジングに片持ち梁状に設けられた板バネであり、
前記カードロック手段は、側方に変位可能なようにその一端部が前記イジェクターに支持され、前記弾性手段に当接可能な当接部と、前記カードに係止可能な係止部とを備え、
前記カード及びイジェクターの前進に伴い、前記弾性手段に対する前記当接部の当接位置が前記弾性手段の支持端側に移動し、前記カードロック手段に対する前記弾性手段の弾性力が強まるように構成されていることを特徴とするカード用コネクタ。
【発明の詳細な説明】
【０００１】
【発明の属する技術分野】
本発明は、ＩＣやメモリ等を組込んだカードと回路基板とを電気的に接続するために用いられるカード用コネクタに関する。
【０００２】
【従来の技術】
近年、携帯電話等の電子機器には、メモリを組込んだカードを装着するためのカード用コネクタが装備されている。従来のこの種のカード用コネクタとしては、例えば、特開２００１−１１８６３３号公報に記載されているものがある。
【０００３】
この特開２００１−１１８６３３号公報に記載されているカード用コネクタは、図７〜図９に示されているように、カード１を収容可能なハウジング２と、該ハウジング２の前壁３に配設された端子４と、前記ハウジング２の側壁５に沿って前後方向にスライド可能に設けられたスライダー６と、前記ハウジング２に対する前記スライダー６の動きを拘束するロック機構７と、前記ハウジング２と前記スライダー６との間に介装されたスプリング８とを備え、前記スライダー６は前記スプリング８により後方に付勢されている。
【０００４】
前記スライダー６には、前端部を支点として側方に弾性変形可能にばね板９が設けられている。該ばね板９の後端側には、係止部１０が内側に曲成され、該係止部１０は前記カード１の側部に形成された係止凹部１１に係止可能となっている。また、前記ハウジング２の側壁５には、前端部を支点として側方に弾性変形可能なように補助ばね板１２が設けられている。
【０００５】
前記ロック機構７には、内側に押込み可能なエジェクトボタン１３が設けられ、該エジェクトボタン１３はばね体１４により外側に付勢され、押込み操作後、元の位置に復帰するようになっている。また、エジェクトボタン１３の先端部には係合部１５が形成され、該係合部１５には前記スライダー６に形成された楔型の係合突起１６が係合可能となっている。
【０００６】
このような構成において、前記カード１を前記ハウジング２の後端側から該ハウジング２内に挿入すると、図７に示すように、前記ばね板９の係止部１０が前記カード１の係止凹部１１に係止し、前記カード１は前記スライダー６に仮止めされた状態となる。前記スプリング８の弾性力に抗して前記カード１をさらに押込むと、前記係合突起１６が前記係合部１５に係合し、前記ばね体１４の弾性力に抗して前記係合部１５を内側に退避させた後、前進し、前記係合部１５を乗り越える。そして、前記係合突起１６が前記係合部１５を乗り越えると、図８に示すように、前記係合部１５は、前記ばね体１４の弾性力により元の位置に復帰し、前記スライダー６は前記ハウジング２に対してロックされる。また、この状態では、図８に示すように、前記ばね板９の外側への変形が前記ハウジング２の側壁５の内面１７により拘束され、前記カード１は前記スライダー６に対してロックされ、この結果、前記カード１は前記ハウジング２に装着された状態となる。
【０００７】
一方、前記カード１を前記ハウジング２から取出すには、前記エジェクトボタン１３を押込む。そうすると、前記係合部１５と前記係合突起１６との係合は解除され、前記スプリング８の弾性力により前記スライダー６は前記カード１を伴って後退し、図７に示すような、仮止め状態に戻る。そしてこの状態で、前記カード１を後方に引張ると、図９に示すように、前記ばね板９は前記補助ばね板１２の弾性力に抗しつつ外側に弾性変形し、前記係止部１０と前記係止凹部１１との係止状態は解除され、前記カード１は前記ハウジング２から取出可能となる。
【０００８】
【発明が解決しようとする課題】
ところが、特開２００１−１１８６３３号公報に記載されているカード用コネクタでは、前記カード１が装着された状態で、該カード１を後方に無理やり引張ると、前記ばね板９を介して前記ハウジング２の側壁５に過大な力が作用し、前記側壁５が破壊したり、或いは、前記ばね板９自体が塑性変形したるするおそれがあった。
【０００９】
また、前記カード１の仮止め位置において、前記ばね板９の弾性力を強化し、前記カード１の排出時に該カード１が前記ハウジング２から飛び出すのを防止するため、前記ばね板９とは別個に前記補助ばね板１２を設けていた。そのため、構造が複雑となり、製造コストの低減が図り難いといった問題があった。
【００１０】
本発明は、上記課題を解決すべくなされたものであり、前記カード２１が装着された状態から該カード２１を無理やり取出そうとしても、前記ハウジング２等を破壊することなく、また、部品点数を削減でき、製造コストの低減化が可能なカード用コネクタを提供するものである。
【００１１】
【課題を解決するための手段】
本発明は、カードと回路基板とを電気的に接続させるためのカード用コネクタにおいて、前記カードを前後方向に挿脱可能に収容するハウジングと、該ハウジング内において、前記カードと共に前進及び後退可能に設けられたイジェクターと、前記カードの装着位置で前記ハウジングに対する前記イジェクターの動きを拘束可能なロック手段と、前記カードに係止することにより、前記イジェクターに対する前記カードの動きを拘束可能なカードロック手段と、前記カード及びイジェクターの前進に伴い、前記カードロック手段に対する弾性力が強まるように設けられた弾性手段とを備え、前記弾性手段は、前記ハウジングと前記イジェクターとの間に介装され、前記イジェクターを後方に付勢するスプリングであり、前記カードロック手段は、側方に変位可能なようにその一端部が前記イジェクターに支持され、前記スプリングの後端側に係合可能な係合部と、前記カードに係止可能な係止部とを備え、前記カード及びイジェクターの前進に伴い、前記係合部が前記スプリングを圧縮し、前記カードロック手段に作用する前記スプリングの弾性力が強まるように構成されている。
【００１３】
また、前記カードロック手段は、側方に変位可能なようにその一端部が前記イジェクターに支持された板ばねである。
【００１４】
さらに、前記カードロック手段は、前記カードの装着位置より後方の仮止め位置で前記カードに係止するように構成されている。
【００１５】
また、本発明は、カードと回路基板とを電気的に接続させるためのカード用コネクタにおいて、前記カードを前後方向に挿脱可能に収容するハウジングと、該ハウジング内において、前記カードと共に前進及び後退可能に設けられたイジェクターと、前記カードの装着位置で前記ハウジングに対する前記イジェクターの動きを拘束可能なイジェクターロック手段と、前記カードに係止することにより、前記イジェクターに対する前記カードの動きを拘束可能なカードロック手段と、前記カード及びイジェクターの前進に伴い、前記カードロック手段に対する弾性力が強まるように設けられた弾性手段と、を備え、前記弾性手段は、前記カードロック手段と並列に前記イジェクターに片持ち梁状に設けられた板ばねであり、前記カードロック手段は、側方に変位可能なようにその一端部が前記イジェクターに支持され、前記弾性手段に当接可能な当接部と、前記カードに係止可能な係止部とを備え、前記ハウジングには前記弾性手段に当接可能な凸部が設けられ、前記カード及びイジェクターの前進に伴い、前記弾性手段に対する前記凸部の当接位置が前記板ばねの自由端側に移動し、前記カードロック手段に対する前記弾性手段の弾性力が強まるように構成されている。
【００１６】
更に、本発明は、カードと回路基板とを電気的に接続させるためのカード用コネクタにおいて、前記カードを前後方向に挿脱可能に収容するハウジングと、該ハウジング内において、前記カードと共に前進及び後退可能に設けられたイジェクターと、前記カードの装着位置で前記ハウジングに対する前記イジェクターの動きを拘束可能なイジェクターロック手段と、前記カードに係止することにより、前記イジェクターに対する前記カードの動きを拘束可能なカードロック手段と、前記カード及びイジェクターの前進に伴い、前記カードロック手段に対する弾性力が強まるように設けられた弾性手段と、を備え、前記弾性手段は、前記カードロック手段と並列に前記ハウジングに片持ち梁状に設けられた板ばねであり、前記カードロック手段は、側方に変位可能なようにその一端部が前記イジェクターに支持され、前記弾性手段に当接可能な当接部と、前記カードに係止可能な係止部とを備え、前記カード及びイジェクターの前進に伴い、前記弾性手段に対する前記当接部の当接位置が前記弾性手段の支持端側に移動し、前記カードロック手段に対する前記弾性手段の弾性力が強まるように構成されている。
【００１７】
このような構成において、カードの装着状態から、カードを無理やり引張り出したとしても、弾性手段がカードロック手段の変位を吸収するので、ハウジングを破壊したり、カードロック手段が塑性変形したりするおそれがなく、製品の耐久性を向上させることができる。
【００１８】
【発明の実施の形態】
以下、図面を参照しつつ、本発明の実施の形態を説明する。
【００１９】
図１は本発明の第１の実施の形態に係るカード用コネクタを示し、該カード用コネクタには、カード２１を前後方向に挿脱可能に収容するハウジング２２が設けられている。該ハウジング２２は、合成樹脂製で上方及び後端側が開放されたハウジング本体２３と該ハウジング本体２３の上方を閉塞可能な金属製のハウジングカバー２４とで構成されている。前記ハウジング本体２３は、薄板状の底板２５と、該底板２５の前端部に形成された前壁２６と、前記底板２５の一方の側部に形成された側壁２７とを備えている。前記前壁２６には所要数（図示では９本）の端子２８が前後方向に並列に圧入され、該各端子２８の前端部分は前記前壁２６を貫通し、外側に突出している。
【００２０】
前記底板２５の他方の側部には、側壁２９が形成され、該側壁２９の内面に沿って前後方向にスリット状の第１ガイド孔３０及び第２ガイド孔３１が一列に穿設されている。前記第１ガイド孔３０前方の前記前壁２６の端部には、丸棒状のボス部３２が後方に突設され、該ボス部３２の横には嵌合凹部３３が形成されている。また、前記第２ガイド孔３１の後方には、コーナー壁３４が立設され、該コーナー壁３４の前端部外側にはピン孔３５が形成されている。
【００２１】
前記ハウジングカバー２４は、両側が下方に折曲し、前記ハウジング本体２３に被嵌されるようになっている。前記底板２５の他方の側壁２９に対応する前記ハウジングカバー２４の折曲部分３６の後端側には、前方斜め内側に延びるピン押え部３７が折曲形成されている。また、前記ハウジングカバー２４の上面の前記端子２８に対応する位置には、所要数（図示では８個）の窓部６０が開口されている。
【００２２】
前記底板２５にはイジェクター３８が設けられ、該イジェクター３８は、前記他方の側壁２９に沿って設けられた長手状のガイド部３９と、該ガイド部３９の前端部から内方に延出する当接部４０とを備えている。該当接部４０の後端側にはテーパ部４１が形成され、前記カード２１は、前記テーパ部４１にその前端側切欠部４２を一致させた状態で、前記当接部４０に当接可能となっている。前記ガイド部３９の外側には前端側からスプリング収容部４３が形成され、該スプリング収容部４３にはスプリング４４が収容されている。該スプリング４４の先端部は前記ボス部３２に嵌設し、前記イジェクター３８は前記スプリング４４により後方に付勢されている。そして、前記ガイド部３９の外側の後端側にはハートカム４５が形成され、該ハートカム４５の後端側には凹部５８が形成されている。また、前記ハートカム４５には該ハートカム４５に沿って揺動可能にピン４６が設けられ、該ピン４６は、その後端部４７が前記ピン孔３５に枢設され、さらに、前記ピン押え部３７により前記ハートカム４５側に押え付けられている。
【００２３】
前記ガイド部３９の内側には板ばね収容部４８が形成され、該板ばね収容部４８には板ばね４９が収容されている。該板ばね４９の前端部には上方に延びる突起片５０が形成され、前記板ばね４９は、前記突起片５０を介して前記イジェクター３８に圧入され、側方に弾性変形可能となっている。また、前記板ばね４９の後端側には係止部５２が内側に曲成され、該係止部５２の側方突出部分５１は湾曲し、該突出部分５１より後端側には傾斜面５９が形成されている。さらに、前記板ばね４９の前記係止部５２より前端側には係合片５５が外側に折曲形成され、該係合片５５は前記ガイド部３９の内側と外側との間を貫通する開口を通じて前記スプリング収容部４３内に突出している。また、前記係合片５５の前端側にはテーパ部５６が形成され、該テーパ部５６を介して前記係合片５５は前記スプリング４４の後端部に係合可能となっている。
【００２４】
次に、図１〜図３を参照しつつ、本実施の形態に係るカード用コネクタの作用を説明する。
【００２５】
前記カード２１を前記ハウジング２２の後端側から該ハウジング２２内に挿入すると、前記板ばね４９の係止部５２は、前記カード２１の側部５３に当接し、図２の破線で示すように、外側に撓む。その後、前記係止部５２は前記係止凹部５４に係止し、前記カード２１は前記イジェクター３８に仮止めされた状態になる（図２参照）。この時、前記係合片５５は前記テーパ部５６を介して前記スプリング４４の後端部に係合し、該スプリング４４を圧縮する。この結果、該スプリング４４は反発し、この反発に伴い生じた弾性力は前記テーパ部５６を介して前記板ばね４９に伝達され、前記板ばね４９を内側に押圧する。前記カード２１の仮止め状態では、前記スプリング４４の圧縮量が小さいため、前記スプリング４４の弾性力、すなわち、前記板ばね４９に対する押圧力は小さい。しかし、この押圧力は、前記係止部５２と前記係止凹部５４との係止状態を保持するのに十分な大きさであり、前記カード２１が前記イジェクター３８から自然に抜け落ちることはない。なお、前記仮止め位置まで前記カード２１を挿入する間、前記イジェクター３８は静止しており、また、前記ピン４６の前端部５７は前記ハートカム４５の前端側に位置している。
【００２６】
前記カード２１を前記ハウジング２２内にさらに挿入すると、前記イジェクター３８は前記スプリング４４の弾性力に抗しつつ前記カード２１と共に前進し、前記イジェクター３８の当接部４０は前記嵌合凹部３３に嵌合し、前記カード２１の前端部は前記前壁２６に当接する。この間、前記板ばね４９の係合片５５は前記スプリング４４をさらに圧縮するため、該スプリング４４の弾性力は強まる。また、前記ピン４６はその後端部４７を支点に前記ハートカム４５に沿って揺動し、前記ピン４６の前端部５７は前記ハードカム４５の後端部上側に位置する。
【００２７】
この状態で前記カード２１の挿入動作を止めると、前記スプリング４４の弾性力により、前記イジェクター３８は前記カード２１と共に若干後退し、前記ピン４６の前端部５７は前記ハートカム４５の凹部５８に係合し、前記イジェクター３８は装着位置にロックされる。そして、前記カード２１側の各接点（図示せず）はそれぞれ、所定の各端子２８と接触し、前記カード２１は回路基板の所定回路（図示せず）と電気的に接続された状態となる。この状態では、前記板ばね４９に対する前記スプリング４４の弾性力は前記カード２１の仮止め状態の場合より大きく、前記板ばね４９を内側に押圧する力も強まり、前記カード２１は前記イジェクター３８に一層確実に保持される。したがって、通常の操作で、前記カード２１が前記イジェクター３８から抜け落ちることはないが、この装着状態において、前記カード２１が無理やり後方に引張られ、前記カード２１が抜き取られることがある。この場合には、前記係止部５２と前記係止凹部５４との係止状態が強引に解除され、前記板ばね４９に外向きの力が作用し、該板ばね４９は外側に撓む。そして、前記板ばね４９の変形に伴って前記係合片５５は前記スプリング４４をさらに圧縮し、該スプリング４４により前記板ばね４９の外側への変位は吸収される。したがって、前記ハウジング２２の側壁２７や前記板ばね４９に無理な力が作用することがなく、前記側壁２７，２９が破壊したり、前記板ばね４９が塑性変形したりすることはない。また、前記スプリング４４は、前記イジェクター３８を後退させる機能と、前記板ばね４９の弾性力を強化する機能の２つの機能を兼ねているので、部品点数を削減でき、製造コストの低減化を図ることができる。
【００２８】
一方、前記カード２１を前記ハウジング２２より排出させるには、前記カード２１を前記装着位置よりさらに一旦前方に押込んだ後、その押込み動作を止める。そうすると、前記ピン４６の前端部５７と前記凹部５８との係合状態は解除され、前記スプリング４４の弾性力により、前記イジェクター３８は前記カード２１と共に前記仮止め位置まで後退する。この時、前記板ばね４９の係止部５２は前記カード２１の係止凹部５４に所要の力で係止しているので、前記スプリング４４の弾性力により前記係止部５２と前記係止凹部５４との係止状態が解かれて前記カード２１が前記ハウジング２２の後端側から外部に飛び出すおそれはない。そして、この状態で、前記カード２１の後端部を後方に引張ると、前記係止部５２と前記係止凹部５４との係止状態は解除され、前記カード２１を前記ハウジング２２から抜脱することができる。前記カード２１の仮止め状態では、前記係合片５５により前記スプリング４４が所要量圧縮され、前記係止部５２への押圧力が所要範囲に保持されているので、前記カード２１の抜脱に過大な引張力を必要とすることがなく、容易に操作することができる。
【００２９】
なお、上記実施の形態では、前記カード２１が前記イジェクター３８に仮止めされるようになっているが、図４に示すように、前記板ばね４９を外側に僅かに湾曲させ、仮止め位置では、前記係止部５２が前記係止凹部５４に係止しないようにし、装着位置で前記スプリング４４の弾性力により前記係止部５２が前記係止凹部５４に係止するようにしてもよい。この場合には、前記係止凹部５４を有さないタイプのカードに対して特に有効である。
【００３０】
次に、図５及び図６を参照しつつ、本発明の第２の実施の形態に係るカード用コネクタを説明する。なお、説明の簡略化のため、図５及び図６中、図１〜図３中の構成と同等のものには同一符号を付し、その構成及び作用の詳細な説明は省略する。
【００３１】
本実施の形態に係るカード用コネクタは、弾性手段として、第２の板ばね７１を設けたものであり、該第２板ばね７１は板ばね４９と並列でイジェクター３８に片持ち梁状に支持されている。なお、前記板ばね４９には、上記第１の実施の形態における係合片５５が形成されておらず、また、係止部５２より後端側の外面が前記第２板ばね７１に対する当接面７２として機能するようになっている。そして、ハウジング２２には内方に突出する凸部７３が設けられている。
【００３２】
次に、本実施の形態に係るカード用コネクタの作用を説明する。
【００３３】
前記カード２１を前記ハウジング２２の後端側から該ハウジング２２内に挿入すると、上記第１の実施の形態の場合と同様に、前記係止部５２が前記カード２１の係止凹部５４に係止し、前記カード２１は前記イジェクター３８に仮止めされた状態となる（図５参照）。この時、前記凸部７３は、前記第２板ばね７１の前方に位置し、該第２板ばね７１に当接しておらず、前記第２板ばね７１が弾性変形する場合の支点は該第２板ばね７１が前記イジェクター３８に圧入されている位置Ｐとなる。
【００３４】
その後、上記第１の実施の形態の場合と同様に、前記カード２１が前記ハウジング２２に装着されると、図６に示すように、前記凸部７３は前記第２板ばね７１の外面後端側に当接した状態となる。この状態では、前記第２板ばね７１が弾性変形する場合の支点は前記凸部７３との当接位置Ｐ’となるため、前記第２板ばね７１の前記板ばね４９に対する弾性力は前記仮止め状態の場合より強くなる。すなわち、前記板ばね４９が外側に撓んだ時に前記第２板ばね７１が前記板ばね４９を内側に押圧する力も強まり、前記カード２１は前記イジェクター３８に確実に保持され、通常の操作で、前記カード２１が前記イジェクター３８から抜け落ちることはない。また、この状態で前記カード２１を無理やり後方に引張った場合には、前記係止部５２と前記係止凹部５４との係止状態が解除され、前記板ばね４９は外側に撓むが、前記板ばね４９の変形に伴って前記当接面７２が前記第２板ばね７１の後端側に当接し、該第２板ばね７１も外側に撓むため、前記板ばね４９の外側への変位は前記第２板ばね７１に吸収される。したがって、そのような場合でも前記ハウジング２２や前記板ばね４９に無理な力が作用することがなく、前記ハウジング２２が破壊したり、前記板ばね４９が塑性変形したりすることはない。
【００３５】
一方、前記カード２１を前記ハウジング２２から排出させる場合には、上記第１の実施の形態の場合と同様に、前記カード２１を前記装着位置よりさらに前方に押込み、前記イジェクター３８を前記カード２１と共に前記仮止め位置まで後退させる。そして、この位置で、前記カード２１を後方に引張ると、前記板ばね４９は外側に撓み、前記係止部５２と前記係止凹部５４との係止状態は解除される。そして、前記板ばね４９の当接面７２は前記第２板ばね７１の後端部に当接し、前記第２板ばね７１は前記板ばね４９と共に外側に撓む。前記板ばね４９と前記第２板ばね７１との当接位置から前記第２板ばね７１の支点までの距離は所要長さに保たれているので、前記第２板ばね７１の前記ばね４９に対する弾性力は、前記カード２１の取出し操作にとって適正な強さとなる。しかも、前記板ばね４９が外側に撓もうとすると、該板ばね４９は前記第２板ばね７１により所要の力で内側に押圧されるので、前記カード２１の排出時に前記カード２１が前記ハウジング２２から飛び出すことはない。
【００３６】
なお、上記第２の実施の形態において、前記第２板ばね７１はその前端部を前記ハウジング２２の前壁に支持させるようにしてもよい。この場合には、前記カード２１及びイジェクター３８の前進に伴い、前記第２板ばね７１と前記板バネ４９との当接可能位置が前記第２板バネ７１の支持端側に移動し、前記板ばね４９に対する前記第２板バネ７１の弾性力は強まる。
【００３７】
また、上記第１及び第２の実施の形態では、カードロック手段として、前記板ばね４９を使用しているが、カードロック手段は板ばねのような弾性材料でなくてもよく、材質も金属製の他、樹脂製等でもよい。そしてこの場合、カードロック手段は、前記イジェクター３８に枢設され、該枢設部を支点に側方に回転可能に設けられる。
【００３８】
さらに、前記イジェクター３８は、必ずしも、前記スプリング４４により後方に付勢されている必要はなく、リンク機構を備えたレバー等を使用して、前記イジェクター３８を前進又は後退させるようにしてもよい。
【００３９】
また、上記各実施の形態では、イジェクターロック手段として、ハートカム４５を利用した機構を採用しているが、この機構は単なる例示であり、これに限定する趣旨ではない。
【００４０】
さらに、上記各実施の形態においては、側部５３に係合凹部５４を備えたカード２１を例に挙げて説明しているが、本発明は、前記係合凹部５４のないタイプのカード等他のカードに対しても実施可能であることは言う迄もない。
【００４１】
【発明の効果】
以上述べた如く本発明によれば、カードの装着状態から、カードを無理やり引張り出したとしても、弾性手段がカードロック手段の変位を吸収するので、ハウジングを破壊したり、カードロック手段が塑性変形したりするおそれがなく、製品の耐久性を向上させることができる。
【図面の簡単な説明】
【図１】本発明の実施の形態に係るカード用コネクタを示す分解斜視図である。
【図２】本発明の実施の形態に係るカード用コネクタの作用を示す断面図である。
【図３】本発明の実施の形態に係るカード用コネクタの作用を示す断面図である。
【図４】本発明の実施の形態に係るカード用コネクタの作用を示す断面図である。
【図５】本発明の実施の形態に係るカード用コネクタの作用を示す断面図である。
【図６】本発明の実施の形態に係るカード用コネクタの作用を示す断面図である。
【図７】従来例を示す断面図である。
【図８】従来例を示す断面図である。
【図９】従来例の作用を示す部分断面図である。
【符号の説明】
２１          カード
２２          ハウジング
２８          端子
３８          イジェクター
４４          スプリング
４５          ハートカム
４６          ピン
４９          板ばね
５２          係止部
５５          係合片
７１          第２板ばね
７２          当接面
７３          凸部
【図１】
0003802432.tif 000002
【図２】
0003802432.tif 000003
【図３】
0003802432.tif 000004
【図４】
0003802432.tif 000005
【図５】
0003802432.tif 000006
【図６】
0003802432.tif 000007
【図７】
0003802432.tif 000008
【図８】
0003802432.tif 000009
【図９】
0003802432.tif 000010